【事件の表示】
　特願２０１５−５５４０７６号「取付手段、ガスケット装置、およびアセンブリ」拒絶査定不服審判事件〔２０１４年　８月　７日国際公開、ＷＯ２０１４／１１７９０２、平成２８年　３月２２日国内公表、特表２０１６−５０８５９１号、請求項の数（１５）〕について、次のとおり審決する。
【結　論】
　原査定を取り消す。
　本願の発明は、特許すべきものとする。
【理　由】
第１　手続の経緯
　本願は、２０１３年（平成２５年）１２月１７日（パリ条約による優先権主張外国庁受理２０１３年１月３０日、欧州特許庁）を国際出願日とする出願であって、平成２８年７月２９日付けで拒絶理由の通知がなされ、平成２８年９月２３日に意見書の提出及び手続補正がなされ、平成２９年２月１５日付けで拒絶理由の通知がなされ、平成２９年５月１７日に意見書の提出がなされ、平成２９年１０月３日付けで拒絶査定（原査定）がなされ、これに対し、平成３０年１月１０日に拒絶査定不服審判の請求がなされると同時に手続補正がなされ、平成３０年２月７日に審判請求書の請求の理由を補正する手続補正（方式）がなされ、平成３０年３月１３日に前置報告がなされ、平成３０年３月２９日に審判請求人から前置報告に対する上申がなされたものである。
第２　原査定の概要
　原査定（平成２９年１０月３日付け拒絶査定）の概要は次のとおりである。
（進歩性）この出願の請求項１〜１７に係る発明は、その出願前に日本国内又は外国において、頒布された下記の引用文献１〜３に基いて、その出願前にその発明の属する技術の分野における通常の知識を有する者（以下「当業者」という。）が容易に発明をすることができたものであるから、特許法第２９条第２項の規定により特許を受けることができない。
　　　　　　　　　　　　＜引用文献等一覧＞
１．特表昭６０−５０１５６８号公報
２．特開２０００−９７５８３号公報
３．特表２０１２−５１２３８２号公報
第３　本願発明
　本願請求項１〜１５に係る発明（以下、それぞれ「本願発明１」〜「本願発明１５」という。）は、平成３０年１月１０日の手続補正で補正された特許請求の範囲の請求項１〜１５に記載された事項により特定される発明であり、以下のとおりの発明である。
　「【請求項１】
　熱交換器プレートの第１側（８）にガスケット（３８）を締結するための、熱交換器プレート（４）の縁部（２６、２８）と係合するように配置された取付手段（４０）であって、該取付手段は、
　第１接続部材（４２）と、第２接続部材（４４）と、ブリッジ（４６）と、を具備し、
　前記第１接続部材の第１部分（４８）は前記ガスケットと係合するように配置され、前記第１接続部材の第２部分（５２）は前記ブリッジと係合し、
　前記第２接続部材の第１部分（５０）は前記ガスケットと係合するように配置され、前記第２接続部材の第２部分（５４）は前記ブリッジと係合した取付手段において、
　前記取付手段は、前記第１接続部材と第２接続部材との間に配置された複数のフィンガ（６０、６２、６４）をさらに具備し、各フィンガの個々の接続部（６６、６８、７０）は前記ブリッジと係合し、前記フィンガは、前記ブリッジから前記ガスケットに向かって延びるように配置されており、
　少なくとも１つの前記フィンガは、前記熱交換器プレートの前記第１側（８）と係合するように配置され、少なくとも１つの別の前記フィンガは、前記熱交換器プレートの反対側の第２側と係合するように配置されており、
　各前記フィンガ（６０、６２、６４）は、前記ガスケット（３８）に向くように配置された自由端（７２、７４、７６）を備え、
　前記フィンガのうちの第１フィンガ（６０）の前記自由端（７２）は、前記フィンガのうちの第２フィンガ（６２、６４）の前記自由端（７４、７６）よりも前記ガスケット（３８）に近接して位置決めされるように配置されていることを特徴とする取付手段（４０）。
　　【請求項２】
　前記フィンガのうちの第１フィンガ（６０）の前記自由端（７２）は、前記熱交換器プレート（４）の前記第１側（８）と係合するように配置されており、前記熱交換器プレート（４）の前記第２側と係合するように配置された、前記フィンガのうちの第２フィンガ（６２、６４）の前記自由端（７４、７６）よりも、前記ガスケット（３８）に近接して位置決めされるように配置されていることを特徴とする請求項１に記載の取付手段（４０）。
　　【請求項３】
　前記第１フィンガ（６０）は、前記第２フィンガ（７４、７６）よりも長いことを特徴とする請求項１または２に記載の取付手段（４０）。
　　【請求項４】
　前記第１フィンガ（６０）の自由端（７２）は、前記熱交換器プレート（４）に面して配置された表面（７８）において面取りされており、前記第２フィンガ（６２、６４）の自由端（７４、７６）は、前記熱交換器プレートから離れるように向かって配置された表面（８０）において面取りされていることを特徴とする請求項１〜３のいずれか一項に記載の取付手段（４０）。
　　【請求項５】
　一つおきの前記フィンガ（６０）は、前記第１側（８）と係合するように配置され、残りの前記フィンガ（６２、６４）は、前記熱交換器プレート（４）の前記第２側と係合するように配置されていることを特徴とする請求項１〜４のいずれか一項に記載の取付手段（４０）。
　　【請求項６】
　中間フィンガ（６０）が前記熱交換器プレート（４）の前記第１側（８）と係合するように配置された、３つのフィンガ（６０、６２、６４）を具備していることを特徴とする請求項１〜５のいずれか一項に記載の取付手段（４０）。
　　【請求項７】
　前記ブリッジ（４６）は中央部（５６）を備え、該中央部は前記ブリッジの残りの部分よりも幅広であることを特徴とする請求項１〜６のいずれか一項に記載の取付手段（４０）。
　　【請求項８】
　前記ブリッジ（４６）は、前記フィンガ（６０、６２、６４）よりも厚いことを特徴とする請求項１〜７のいずれか一項に記載の取付手段（４０）。
　　【請求項９】
　前記第１および第２接続部材（４２、４４）はテーパ状であり、前記接続部材の個々の第１部分（４８、５０）においてより薄くなっていることを特徴とする請求項１〜８のいずれか一項に記載の取付手段（４０）。
　　【請求項１０】
　前記熱交換器プレート（４）の前記第１側（８）と係合するように配置された前記フィンガ（６０）はテーパ状であり、前記フィンガの個々の接続部（６６）においてより薄くなっており、前記熱交換器プレートの前記前記第２側と係合するように配置された前記フィンガ（６２、６４）はテーパ状であり、前記フィンガの個々の接続部（６８、７０）においてより厚くなっていることを特徴とする請求項１〜９のいずれか一項に記載の取付手段（４０）。
　　【請求項１１】
　ガスケット（３８）と、請求項１〜１０のいずれか一項に記載の取付手段（４０）と、を具備していることを特徴とするガスケット装置（６）。
　　【請求項１２】
　前記ガスケット（３８）と前記取付手段（４０）とが一体に形成されていることを特徴とする請求項１１に記載のガスケット装置（６）。
　　【請求項１３】
　前記ガスケット（３８）に沿って配置された、請求項１〜１０のいずれか一項に記載の複数の取付手段（４０）と、
　前記熱交換器プレート（４）の前記第１側（８）に平行に且つ前記ガスケットに直交して、前記熱交換器プレートの２つの対向した側部を越えて延びた仮想無限直線（Ｌ）と、を具備し、
　前記ガスケットが熱伝達プレートに締結された場合に、前記仮想無限直線は、前記取付手段の１つのみを通じて延びていることを特徴とする請求項１１または１２に記載のガスケット装置（６）。
　　【請求項１４】
　熱交換器プレート（４）と、ガスケット（３８）と、請求項１〜１０のいずれか一項に記載の取付手段（４０）と、を具備していることを特徴とするアセンブリ（２）。
　　【請求項１５】
　前記熱交換器プレート（４）は、
　該熱交換器プレート（４）の端縁（３０、３２）に沿って延びた、前記第１側（８）のガスケット溝（１８）と、
　前記端縁と前記ガスケット溝との間に延びて、波形とされて交互に配置された尾根（３４）および谷（３６）を具備した、前記熱交換器プレートの縁部（２６、２８）と、を具備し、
　前記ガスケット（３８）は前記ガスケット溝内に配置され、前記取付手段（４０）は前記熱交換器プレートの端縁の周りに配置され、それにより前記熱交換器プレートの前記第１側（８）と係合するように配置された前記第１および第２接続部材（４２、４４）ならびに前記フィンガ（６０）は、前記縁部の谷の個々の１つ内に配置されており、前記熱交換器プレートの前記第２側と係合するように配置された前記フィンガ（６２、６４）は、
前記縁部の尾根の個々の１つの下に配置されていることを特徴とする請求項１４に記載のアセンブリ（２）。」
 
第４　引用文献、引用発明等
１．引用文献１について
　原査定の拒絶の理由に引用された引用文献１には、図面とともに次の事項が記載されている（下線は、当審で付与したものである。以下同様である。）。
「２．特許請求の範囲
　１．　１つの端部（６）付近にガスケット用の溝（７）を有する熱交換板（５）と、前記溝（７）に挿入され、ガスケットの縦軸方向に間隔を置いて配置された保持手段により保持されるガスケット（１）とからなる組立体であって、前記各保持手段は、前記ガスケット（１）と一体に作られて、熱交換板（５）上のガスケット（１）と同じ側にガスケット（１）の側端部から突出するガスケット突出部（２；１０，１１；１４；２０）と、前記ガスケット突出部に接続されたブリッジ部（２Ａ，１２；１７）と、前記ブリッジ部に付属して前記ガスケット突出部から離れた熱交換板（５）の上側面に配設される少なくとも１つのブリッジ突出部（３，４；１３；１６ａ，１６ｃ）とからなる板形熱交換器用ガスケット装置において、
　前記少なくとも１つのブリッジ突出部（３，４；１３；１６ａ，１６ｃ）は、ガスケット突出部（２；１０，１１；１４；２０）からガスケットの縦軸方向に離れ、かつ、ガスケット（１）に向かって配設され、
　前記ブリッジ部（２Ａ，１２；１７）は、熱交換板（５）の端部（６）の延長の外周上に配置され、前記ブリッジ突出部（３，４；１３；１６ａ，１６ｃ）が前記端部（６）から前記ガスケット（１）の方へ伸びて熱交換板（５）のガスケット突出部（２；１０，１１；１４；２０）とは反対側に位置することを特徴とする板形熱交換器用ガスケット装置。
　２．　ブリッジ部（２Ａ，１２）がガスケットと一体に作られた特許請求の範囲第１項に記載の板形熱交換器用ガスケット装置。
　３．　ブリッジ部（１２）が２つのガスケット突出部（１０，１１）に接続され、ブリッジ突出部（１３）が前記ガスケット突出部の間に位置した特許請求の範囲第２項に記載の板形熱交換器用ガスケット装置。」（同公報に添付の平成３年１１月２０日発行の「特許法第１７条第１項又は第１７条の２の規定による補正の掲載」の１ページ左下欄４行〜右下欄末行）
「第１図において、ガスケツト１の一部分が示され、該部分はガスケツトと一体形成された突出部２をもつ。これと同様の突出部がガスケツトに沿って複数個所に設けられる（不図示）。
　ガスケツト１自身から一定の距離において、ガスケツト突出部２は二つの別の突出部３及び４を担持し、それらの自由端はガスケツト１に向けられている。突出部３及び４は、橋かけ部２Ａによってガスケツト突出部２と連結されかつガスケツト突出部２の各側でそれとガスケツトと本質的に同一平面内に配設される。もしガスケツトとすべての突出部が同一の中心面をもつて造られれば、ガスケツトは熱交換器板のガスケツト溝内で回転できるので取扱いの点で有利である。
　第３図には比較的薄い板から成る熱交換器板５の縁部の一部分が示される。この縁部自身は６で示されている。縁部６と平行に、板に溝７が造られ、溝７内に第１図によるガスケツト１が付設される。
　板の縁部は第４図から明らかなように波形を形成し、谷部８とうね部９とがガスケツト溝７の同一側において、平行にかつガスケツト溝７を横切つて延びる。板の他側には対応する谷部とうね部が形成される。従って、板の一つの側の波形谷部はその板の他側の波形うね部と対応し、その逆もまた同様である。
　第３図に示された三つの波形谷部８のうち、外側の二つの谷部は板の縁部６から、ガスケツト溝７からわずかな距離に位置する一点に延び、一方、中央の波形谷部８は板の縁部から直角にガスケツト溝に延びる。よつて、本発明のこの実施例によるガスケツト溝の底部はこの中央の波形谷部の底部と同一平面内に位置する。
　ガスケツト１は、ガスケツト突出部２がガスケツト溝と同一の熱交換器板の側における上記中央波形谷部８内の板の縁部６から延び、一方、両方の突出部３及び４が板縁部６から熱交換器板の反対側における波形谷部内のガスケツト溝に向って後向きに延びるようにガスケツト溝７内に保持される。従って、橋かけ部２Ａと突出部３，４は、波形谷部８内へのガスケツト突出部２の保持部分を構成する。
　図においては、直線状のガスケツト溝７内に配設された直線状ガスケツト１の一部分のみが示されている。一つの板の一つの縁部に沿って造られたこのような直線状ガスケツト溝は、通常、熱交換器板の熱交換区域自身を囲むガスケツト溝の一部分を構成する。しかし、本発明は熱交換器板の実際の熱交換区域の外側に位置する熱交換器に設けられた穴を囲む通常は円形に延びるガスケツト溝と組み合わされても適用できる。このような穴は、板形熱交換器を流通する二つの熱交換媒体のうちの一つの媒体を、第２の熱交換媒体が流通する板間空所を流過させるために、熱交換器板に設けられる。」（２ページ右下欄１０行〜３ページ右上欄１１行）
「第５図には、第１図から第４図までに示された実施例の変更態様が示されている。よつて、この図はガスケツトと一体に造られた突起部１０，１１を有するガスケツト１の一部分を示す。突出部１０，１１の末端は、ガスケツト１と平行に延びる橋かけ部１２によって互いに連結される。ガスケツト突出部１０，１１間に、かつ橋かけ部１２と一体に造られた突出部１３が設けられ、その自由端はガスケツト１に向いて位置する。橋かけ部１２と突出部１３はガスケツト突出部１０，１１用の保持部分を構成する。
　ガスケツト１を熱交換器板に付設する場合、ガスケツト突出部１０，１１は、橋かけ部１２が板の縁部のすぐ外側に位置するように、板の一つの側における板の縁部に形成された各波形谷部内に配設される。ガスケツト１は、熱交換器板の反対側の波形谷部に形成されたガスケツト溝に向けて突出部１３が板縁部６から後向きに延びるようにガスケツト溝内に保持される。」（３ページ右上欄１２行〜左下欄４行）
「
」
「
」
「
」
　したがって、上記記載事項及び図面を総合して、Ｆｉｇ．５の形態を参酌し、ガスケットの保持手段に着目すると、引用文献１には次の発明（以下「引用発明」という。）が記載されていると認められる。
「１つの端部（６）付近にガスケット用の溝（７）を有する熱交換板（５）と、前記溝（７）に挿入され、ガスケット（１）の縦軸方向に間隔を置いて配置された保持手段により保持されるガスケット（１）とからなる組立体の前記保持手段であって、
　前記各保持手段は、前記ガスケット（１）と一体に作られて、熱交換板（５）上のガスケット（１）と同じ側にガスケット（１）の側端部から突出するガスケット突出部（１０，１１）と、前記ガスケット突出部（１０，１１）に接続されたブリッジ部（１２）と、前記ブリッジ部（１２）に付属して前記ガスケット突出部（１０，１１）から離れた熱交換板（５）の上側面に配設される少なくとも１つのブリッジ突出部（１３）とからなり、
　前記少なくとも１つのブリッジ突出部（１３）は、ガスケット突出部（１０，１１）からガスケットの縦軸方向に離れ、かつ、ガスケット（１）に向かって配設され、
　前記ブリッジ部（１２）は、熱交換板（５）の端部（６）の延長の外周上に配置され、前記ブリッジ突出部（１３）が前記端部（６）から前記ガスケット（１）の方へ伸びて熱交換板（５）のガスケット突出部（１０，１１）とは反対側に位置し、
　前記ブリッジ突出部（１３）が前記ガスケット突出部（１０，１１）の間に位置した、板形熱交換器用ガスケット装置の保持手段。」
                                    
２．引用文献２について
　また、原査定の拒絶の理由に引用された上記引用文献２には、図面とともに次の事項が記載されている。
「【特許請求の範囲】
【請求項１】  ガスケット本体の外側に嵌合部を備えるガスケットと、ガスケット溝の外側に、ガスケット溝方向の断面が波形の波状部を備え、かつこの波状部にガスケット溝方向のスリットが設けられた伝熱プレートとを有し、上記嵌合部をスリットに嵌合させてガスケットを伝熱プレートに固定するプレート式熱交換器であって、ガスケット溝の底を波状部の山部と谷部の間に配置したものにおいて、
ガスケットと伝熱プレートとの間で、ガスケット溝方向への両者の相対移動を規制するようにしたことを特徴とするプレート式熱交換器。
【請求項２】  上記嵌合部とガスケット本体との間に突出部を介在させ、この突出部を波状部の谷部とガスケット溝方向の両側より係合させて上記相対移動を規制するようにした請求項１記載のプレート式熱交換器。
【請求項３】  嵌合部とスリットとの間に、ガスケット溝方向で相互に係合可能の凹凸嵌合部を設けて上記相対移動を規制するようにした請求項１記載のプレート式熱交換器。
【請求項４】  凹凸嵌合部が、ガスケット溝方向と直交する方向に突出したＵ字状である請求項３記載のプレート式熱交換器。
【請求項５】  凹凸嵌合部が、ガスケット溝方向と直交する方向に突出したＶ字状である請求項３記載のプレート式熱交換器。
【請求項６】  ガスケット本体の外側に、上記嵌合部から離隔して第２の突出部を設け、この第２の突出部を波状部の他の谷部とガスケット溝方向の両側より係合させて上記相対移動を規制するようにした請求項１記載のプレート式熱交換器。」
「【０００３】ガスケット１を伝熱プレート２に固定する方法としては接着が一般的であるが、保守、保全作業の短縮や接着剤臭の除去を目的として、接着剤の不要な固定方法が開発されている。この方法は、ガスケット１の外周部に突設した嵌合部を伝熱プレート２に設けたスリットに嵌合することによりガスケット１を伝熱プレート２に固定するもので、その一例を図６乃至図８に示す。なお、図６（ａ）（ｂ）はガスケット１を、図７（ａ）（ｂ）は伝熱プレート２を、図８（ａ）（ｂ）は伝熱プレート２にガスケット１を装着した状態をそれぞれ示す。
【０００４】図６に示すように、ガスケット１には、その外側にコの字型に突出させたストッパ部1bが一体形成される。ストッパ部1bは、ガスケット本体1aより突出する一対の突出部10と、ガスケット本体1aと平行に配置された嵌合部11とで構成される。伝熱プレート２の周縁部よりも僅かに内側の領域には、図７（ａ）（ｂ）に示すように、断面波形の波状部2aが形成されており、この波状部2aのうちの山部20およびその両側の谷部21の一部領域に跨ってスリット22が形成されている。ガスケット１の伝熱プレート２への装着は、図８（ａ）（ｂ）に示すように、伝熱プレート２のガスケット溝2cにガスケット本体1aを嵌め込み、さらにガスケット１の嵌合部11をスリット22に、突出部10を谷部21にそれぞれ嵌め込むことにより行われる。ガスケット１は、嵌合部11とスリット22との係合によりガスケット溝方向（図８（ａ）（ｂ）図の左右方向）と直交する方向での位置決めがなされ、また、図９に拡大して示すように、突出部10が谷部21の底部においてガスケット溝方向の壁面21ａと係合することにより、ガスケット溝方向での位置決めがなされる。」
「【図６】
」
「【図７】
」
「【図８】
」
３．引用文献３について
　また、原査定の拒絶の理由に引用された上記引用文献３には、図面とともに次の事項が記載されている。
「【請求項１】
　プレート熱交換器（１００）のための熱交換器プレート（１）であって、この熱交換器プレート（１）は、
　複数のポート（８，９，１０，１１）と、
　複数の分配領域（１２）と、
　複数の断熱領域（１４，１５）と、
　熱伝達領域（１３）と、
　前記複数のポート（８，９，１０，１１）及び前記領域（１２，１３，１４，１５）の外側に延びたエッジ領域（１６）とを具備し、
　この熱交換器プレート（１）は、前記領域（１２，１３，１４，１５）の外側で、かつ前記複数のポート（８，９，１０，１１）の周りで、前記エッジ領域（１６）に延びているガスケット溝（２０）を有し、
　前記ガスケット溝（２０）は、前記プレート熱交換器（１００）の隣接している熱交換器プレート（１）に対して当接部を密閉するためのガスケット（３０）を収容する、熱交換器プレート（１）において、
　前記ガスケット溝（２０）は、前記熱伝達領域（１３）の両側に沿って、前記熱伝達領域（１３）の少なくとも１つの凹部（４０）を有し、
　前記凹部（４０）は、クリップ留めタブ（４１）が前記凹部（４０）のところでこの熱交換器プレート（１）の前記エッジ領域（１６）に固定されることを可能にすることを特徴とする熱交換器プレート（１）。
【請求項２】
　前記熱伝達領域（１３）の両側に沿った前記凹部（４０）は、対応する位置に配置されている請求項１の熱交換器プレート。
【請求項３】
　前記熱伝達領域（１３）の両側に沿った前記凹部（４０）は、互いに対して等間隔で配置されている請求項２の熱交換器プレート。
【請求項４】
　前記熱伝達領域（１３）の両側に沿った前記凹部（４０）は、水平中心線（Ｃ）に対して等間隔で配置されている請求項２の熱交換器プレート。
【請求項５】
　前記エッジ領域（１６）は、前記熱伝達領域（１３）に沿った前記凹部（４０）のところで前記熱伝達領域（１３）に沿った残りのエッジ領域（１６）よりも幅広い請求項１ないし３のいずれか１の熱交換器プレート。
【請求項６】
　前記凹部（４０）には、前記クリップ留めタブ（４１）が前記凹部（４０）の２つの異なる位置（４２，４３）に交互に受けられることを可能にするために、上側クリップ留めタブ位置（４３）及び下側クリップ留めタブ位置（４２）が設けられている請求項１ないし５のいずれか１の熱交換器プレート。
【請求項７】
　２つの熱交換器プレート（１）が、カセットを形成するために１対として互いに永久的に接合される請求項１ないし６のいずれか１の熱交換器プレート。
【請求項８】
　前記カセットは、前記プレート熱交換器（１００）の隣接しているカセットに対して当接部を密閉するために、カセットの間に配置された複数のガスケット（３０）を有する請求項７の熱交換器プレート。
【請求項９】
　熱交換器プレート（１）が、前記カセットを形成するために、溶接によって互いに接合される請求項７又は８の熱交換器プレート。
【請求項１０】
　請求項１ないし９のいずれか１の熱交換器プレート（１）のためのガスケット（３０）において、
　このガスケット（３０）には、前記ガスケット溝（２０）の前記凹部（４０）のところでこのガスケット（３０）を前記熱交換器プレート（１）に固定するクリップ留めタブ（４１）が設けられており、また、前記熱交換器プレート（１）の前記ポート（８，９，１０，１１）に近い前記熱交換器プレート（１）にこのガスケット（３０）を固定するためのクリップ留めタブ（４１）が設けられているガスケット（３０）。
【請求項１１】
　前記クリップ留めタブ（４１）は、前記熱交換器プレート（１）の両側の対応する凹部（４０）に、それぞれ、前記上側クリップ留めタブ位置及び下側クリップ留めタブ位置（４３）で交互に受けられるように配置されている請求項１０のガスケット。
【請求項１２】
　このガスケット（３０）は、ゴム又は高分子材料でできている請求項１０又は１１のガスケット（３０）。
【請求項１３】
　熱交換器プレート（１）のパッケージ（２）と、
　請求項１ないし１２のいずれか１のガスケット（３０）とを具備するプレート熱交換器（１００）。」
「
」
第５　対比・判断
１．本願発明１について
（１）対比
　本願発明１と引用発明とを対比すると、各文言の意味、機能または作用等からみて、引用発明の「端部（６）」、「ガスケット（１）」、「熱交換板（５）」、「保持手段」、「ガスケット突出部（１０，１１）」、「ブリッジ部（１２）」、及び「ブリッジ突出部（１３）」は、それぞれ、本願発明１の「縁部（２６、２８）」、「ガスケット（３８）」、「熱交換器プレート」、「取付手段（４０）」、「第１接続部材（４２）」及び「第２接続部材（４４）」、「ブリッジ（４６）」、及び「フィンガ（６０、６２、６４）」に相当する。
　引用発明の「熱交換板（５）上のガスケット（１）と同じ側」は、ガスケットと同じ側を第１側とすると、本願発明１の「熱交換器プレートの第１側（８）」に相当する。
　引用発明の「１つの端部（６）付近にガスケット用の溝（７）を有する熱交換板（５）と、前記溝（７）に挿入され、ガスケット（１）の縦軸方向に間隔を置いて配置された保持手段により保持されるガスケット（１）とからなる組立体の前記保持手段」は、ガスケット用の溝が熱交換板の端部付近に位置していることから、当該保持手段は熱交換板の端部と係合しているといえる。そうすると、引用発明の「保持手段」と、本願発明１の「ガスケット（３８）を締結するための、熱交換器プレート（４）の縁部（２６、２８）と係合するように配置された取付手段（４０）」とは、「ガスケットを保持するための、熱交換器プレートの縁部と係合するように配置された取付手段」との限りで一致する。
　引用発明の「ガスケット（１）の側端部から突出するガスケット突出部（１０，１１）と、前記ガスケット突出部（１０，１１）に接続されたブリッジ部（１２）」とからなる態様は、その位置関係（引用文献１Ｆｉｇ．５参照）からみて、本願発明１の「第１接続部材（４２）と、第２接続部材（４４）と、ブリッジ（４６）と、を具備し、
　前記第１接続部材の第１部分（４８）は前記ガスケットと係合するように配置され、前記第１接続部材の第２部分（５２）は前記ブリッジと係合し、
　前記第２接続部材の第１部分（５０）は前記ガスケットと係合するように配置され、前記第２接続部材の第２部分（５４）は前記ブリッジと係合」する態様に相当する。
　引用発明の「前記ブリッジ部（１２）に付属して前記ガスケット突出部（１０，１１）から離れた熱交換板（５）の上側面に配設される少なくとも１つのブリッジ突出部（１３）とからなり、
　前記少なくとも１つのブリッジ突出部（１３）は、ガスケット突出部（１０，１１）からガスケットの縦軸方向に離れ、かつ、ガスケット（１）に向かって配設され」、「前記ブリッジ突出部（１３）が前記ガスケット突出部（１０，１１）の間に位置した」態様は、ブリッジ部、ガスケット突出部及びブリッジ突出部の配置関係から（引用文献１Ｆｉｇ．５参照）、本願発明１の「前記取付手段は、前記第１接続部材と第２接続部材との間に配置された複数のフィンガ（６０、６２、６４）をさらに具備し、各フィンガの個々の接続部（６６、６８、７０）は前記ブリッジと係合し、前記フィンガは、前記ブリッジから前記ガスケットに向かって延びるように配置され」た態様と、「前記取付手段は、前記第１接続部材と第２接続部材との間に配置されたフィンガをさらに具備し、フィンガの接続部は前記ブリッジと係合し、前記フィンガは、前記ブリッジから前記ガスケットに向かって延びるように配置され」るとの限りで一致している。
　引用発明の「前記ブリッジ部（１２）は、熱交換板（５）の端部（６）の延長の外周上に配設され、前記ブリッジ突出部（１３）が前記端部（６）から前記ガスケット（１）の方へ伸びて熱交換板（５）のガスケット突出部（１０，１１）とは反対側に位置し」ていることは、上記のとおり、熱交換板のガスケットと同じ側を第１側としていたので、第１側と反対の熱交換板を第２側とすると、本願発明１の「少なくとも１つの前記フィンガは、前記熱交換器プレートの前記第１側（８）と係合するように配置され、少なくとも１つの別の前記フィンガは、前記熱交換器プレートの反対側の第２側と係合するように配置され（ており）」た態様と、「少なくとも１つのフィンガは、前記熱交換器プレートの反対側の第２側と係合するように配置され」る限りで一致している。また、引用発明の「前記ブリッジ突出部（１３）が前記端部（６）から前記ガスケット（１）の方へ伸び」た態様は、その配置関係から（引用文献１Ｆｉｇ．５参照）、本願発明１の「各前記フィンガ（６０、６２、６４）は、前記ガスケット（３８）に向くように配置された自由端（７２、７４、７６）を備え」た態様と、「フィンガは、前記ガスケットに向くように配置された自由端を備え」た態様の限りで一致している。
　したがって、本願発明１と引用発明との間には、次の一致点、相違点があるといえる。
（一致点）
　熱交換器プレートの第１側にガスケットを保持するための、熱交換器プレートの縁部と係合するように配置された取付手段であって、該取付手段は、
　第１接続部材と、第２接続部材と、ブリッジと、を具備し、
　前記第１接続部材の第１部分は前記ガスケットと係合するように配置され、前記第１接続部材の第２部分は前記ブリッジと係合し、
　前記第２接続部材の第１部分は前記ガスケットと係合するように配置され、前記第２接続部材の第２部分は前記ブリッジと係合した取付手段において、
　前記取付手段は、前記第１接続部材と第２接続部材との間に配置されたフィンガをさらに具備し、フィンガの接続部は前記ブリッジと係合し、前記フィンガは、前記ブリッジから前記ガスケットに向かって延びるように配置され、
　少なくとも１つのフィンガは、前記熱交換器プレートの反対側の第２側と係合するように配置され、
　前記フィンガは、前記ガスケットに向くように配置された自由端を備える、
　前記前取付手段。」
  
（相違点１）
　取付手段による熱交換器プレートの第１側にガスケットを保持することについて、本願発明１は、「取付手段」により「ガスケット」を「締結」しているのに対して、引用発明は、取付手段による「ガスケット」の保持の具体的な態様までは明らかでない点。
（相違点２）
  第１接続部材と第２接続部材との間に配置されたフィンガについて、本願発明１は、「取付手段は、前記第１接続部材と第２接続部材との間に配置された複数のフィンガ（６０、６２、６４）をさらに具備し、各フィンガの個々の接続部（６６、６８、７０）は前記ブリッジと係合し、前記フィンガは、前記ブリッジから前記ガスケットに向かって延びるように配置され」ていて、「少なくとも１つの前記フィンガは、前記熱交換器プレートの前記第１側（８）と係合するように配置され、少なくとも１つの別の前記フィンガは、前記熱交換器プレートの反対側の第２側と係合するように配置されており
  各前記フィンガ（６０、６２、６４）は、前記ガスケット（３８）に向くように配置された自由端（７２、７４、７６）を備え
  前記フィンガのうちの第１フィンガ（６０）の前記自由端（７２）は、前記フィンガのうちの第２フィンガ（６２、６４）の前記自由端（７４、７６）よりも前記ガスケット（３８）に近接して位置決めされるように配置されている」のに対して、引用発明は、そのような構成を有していない点。
（２）相違点１、２についての判断
　引用文献１には、ガスケット突出部（２）の両側に、二つのブリッジ突出部（Ｆｉｇ．１で部材３及び部材４）を設けたものが記載されているものの、当該構成を、引用発明の「前記ブリッジ突出部（１３）が前記ガスケット突出部（１０，１１）の間に位置した、板形熱交換器用ガスケット装置の保持手段」においても、採用することの記載や示唆はなされていない。また、引用文献１には、熱交換板の縁部が波形として構成されて、谷部とうね部とをなし、当該谷部とうね部にブリッジ突出部及びガスケット突出部が装着される態様からみて、引用発明において、ガスケット突出部の間に位置したブリッジ突出部を、複数のものとすることには、各部材の配置構造を大きく変更する必要があると認められるから、むしろ阻害要因があるといえる。
　そうすると、引用発明において、少なくとも１つのブリッジ突出部を複数のものとする動機付けはなく、さらに、ブリッジ突出部を複数のものとすることを前提に、１つのブリッジ突出部を、熱交換板の第１側と係合するように配置し、少なくとも１つの別のブリッジ突出部を、前記熱交換板の反対側の第２側と係合するように配置し、各前記ブリッジ突出部が、前記ガスケットに向くように配置された自由端を備え、前記ブリッジ突出部のうちの第１のブリッジ突出部の前記自由端は、前記ブリッジ突出部のうちの第２のブリッジ突出部の前記自由端よりも前記ガスケットに近接して位置決めされるように配置することも、当業者が容易に想到し得たこととすることはできない。
　さらに、取付手段による熱交換器プレートの第１側にガスケットを保持することについて、本願発明１の「締結」とすることは、「熱交換器プレートの第１側と係合するための少なくとも１つのフィンガと、熱交換器プレートの第２側と係合するための少なくとも別のフィンガと、を具備した取付手段によって、熱交換器プレートの縁部はフィンガの間で圧搾され、それにより取付手段は、熱交換器プレートに堅固に固定され得る」（本願明細書【００１１】）態様をいうものであり、第１接続部材及び第２接続部材との間（ガスケット突出部間）に配置された複数のフィンガを前提としたものなので、引用発明のブリッジ突出部による保持態様を「締結」とすることも、当業者が容易に想到し得たこととすることはできない。
　そして、他の引用文献２及び３においても、上記相違点１及び相違点２に係る本願発明１の特定事項は、記載されていない。
　そうすると、引用発明において、相違点１及び相違点２に係る本願発明１の特定事項を採用することが、引用発明並びに引用文献２及び３に記載された事項に基いて当業者が容易に想到し得たということはできない。
　したがって、本願発明１は、引用発明並びに引用文献２及び３に記載された技術的事項に基いて当業者が容易に発明をすることができたものであるとはいえない。
２．本願発明２〜１５について
　本願発明２〜１５も、上記相違点１及び相違点２に係る本願発明１と同一の構成を備えるものであるから、本願発明１と同じ理由により、引用発明並びに引用文献２及び３に記載された技術的事項に基いて当業者が容易に発明をすることができたものとはいえない。
第６　原査定について
理由１（特許法第２９条第２項）について
　審判請求時の補正により、本願発明１〜１５は、「各前記フィンガ（６０、６２、６４）は、前記ガスケット（３８）に向くように配置された自由端（７２、７４、７６）を備え、
　前記フィンガのうちの第１フィンガ（６０）の前記自由端（７２）は、前記フィンガのうちの第２フィンガ（６２、６４）の前記自由端（７４、７６）よりも前記ガスケット（３８）に近接して位置決めされるように配置されていること」を備えるという事項を有するものとなっており、拒絶査定において引用された引用文献１〜３に基いて、当業者が容易に発明をすることができたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。